(57)【要約】【課題】電気掃除機を使用せずにモップに吸着した塵埃を簡単に、且つ、綺麗に落としてモップを新品同様に再生することができるモップ用除塵装置を提供する。【解決手段】モップ６０を挿入可能な塵埃除去箱１２と、この塵埃除去箱１２内に移動可能に設けられ、モップ６０に付着した塵埃を落とす塵落とし手段（塵落とし棒部材４６）と、塵埃除去箱１２に並設された集塵箱４８内に位置し、塵埃除去箱１２内に連通して設けられ、塵埃を捕獲可能な集塵部材５０と、モップ６０を塵落とし手段（塵落とし棒部材４６）に押し付ける動作及びこの塵落とし手段（塵落とし棒部材４６）から引き離す動作に基づく当該塵落とし手段（塵落とし棒部材４６）の移動により、塵埃除去箱１２内から集塵箱４８内の集塵部材５０を経て外部に空気を排出するポンプ手段とを備える。【選択図】図１
0003125292.tif 000002
【実用新案登録請求の範囲】
【請求項１】
モップを挿入可能な塵埃除去箱と、該塵埃除去箱内に移動可能に設けられ、前記モップに付着した塵埃を落とす塵落とし手段と、前記塵埃除去箱に並設された集塵箱内に位置し、前記塵埃除去箱内に連通して設けられ、塵埃を捕獲可能な集塵部材と、前記モップを前記塵落とし手段に押し付ける動作及び該塵落とし手段から引き離す動作に基づく当該塵落とし手段の移動により、前記塵埃除去箱内から前記集塵箱内の集塵部材を経て外部に空気を排出するポンプ手段とを備えたことを特徴とするモップ用除塵装置。
【請求項２】
前記塵埃除去箱の一面に形成された開口を開閉する開閉蓋と、
周囲の弾性部材と一面側に伸縮部材を有して前記塵埃除去箱内を第１の区画室と第２の区画室とに仕切ると共に、前記塵落とし手段が他面側に立設される区画壁と、
前記第１の区画室内と前記集塵箱内とを連通すると共に、前記集塵部材が設けられる第１の連通孔と、
前記第２の区画室内と前記集塵箱内とを連通する第２の連通孔と、
前記第２の区画室内の圧力低下によって前記第２の連通孔を開放する第１の開閉弁と、
前記第２の区画室内と外部とを連通する第３の連通孔と、
前記第２の区画室内の圧力上昇によって前記第３の連通孔を開放する第２の開閉弁とを備え、
前記ポンプ手段は、前記区画壁、第１及び第２の開閉弁から構成されることを特徴とする請求項１に記載のモップ用除塵装置。
【請求項３】
前記開閉蓋は前記塵埃除去箱の上面開口を開閉すると共に、前記区画壁は前記塵埃除去箱内を上下に仕切り、前記伸縮部材は前記区画壁の下面に設けられていることを特徴とする請求項１又は請求項２のモップ用除塵装置。
【請求項４】
前記集塵部材は、電気掃除機の除塵紙パックであることを特徴とする請求項１乃至請求項３の何れかに記載のモップ用除塵装置。
【請求項５】
前記第１の区画室内面にモップに吸着した塵埃を落とすことが可能な第２の塵落とし手段を設けたことを特徴とする請求項１乃至請求項４の何れかに記載のモップ用除塵装置。
【請求項６】
前記塵埃除去箱と、該塵埃除去箱内に設けられた塵落とし部材とを備え、
該塵落とし部材は、前記塵埃除去箱の底面から離間しており、塵埃が通過可能な脚部材と、該脚部材上に立設された複数の塵落とし棒部材とを有していることを特徴とするモップ用除塵装置。
【請求項７】
前記塵埃除去箱側面の底面近傍に電気掃除機の吸引ホースを着脱可能な連結管を設けたことを特徴とする請求項６に記載のモップ用除塵装置。
【考案の詳細な説明】
【技術分野】
【０００１】
本考案は、掃除を行い塵埃を吸着したモップから簡単に塵埃を除去するモップ用除塵装置に関するものである。
【背景技術】
【０００２】
一般家庭やオフィスでは掃除用具としてモップや電気掃除機が知られているが、近年では雑巾は殆ど使用されず、通称モップと呼ばれる毛糸状の繊維を密植した長柄付の紡糸モップが使用されている。このモップは、糸の形状と含浸吸着剤により大量の塵やほこりを簡単に吸着することが可能な、所謂ダストモップと称されるものが使用されている。そして、モップで掃除を行い塵埃を吸着したモップから塵埃を除去する場合は、ベランダや縁側などでモップを叩いて塵埃を落としたり、電気掃除機の吸引管をモップに当てて塵埃を落としたり、紡糸が汚れたモップをそのまま業者に返品し、塵埃が付着していない新たなモップに取り換えて貰ったりしているのが現状であった。
【０００３】
そこで、塵埃を吸着して汚れたモップから、塵埃を落として新しい状態のモップに再生することができるモップ用掃除機が提案されている。このモップ用掃除機は、開閉蓋を開いてモップ収納体内にモップを収納し、開閉蓋を閉じる。開閉蓋の上に突出したモップの柄を手で持って上下動させて、モップをすのこ状の塵埃払い落とし体に反復衝突させることにより、モップに吸着した塵埃を落としている。
【０００４】
そして、モップ収納体内に電気掃除機の吸込口を連通させ、電気掃除機を運転することによりモップ収納体内に落ちたモップの塵埃を電気掃除機で吸引していた。これにより、モップに吸着した塵埃がベランダや縁側などに飛散することなく回収されると共に、モップを新品同様に綺麗にしていた（特許文献１参照）。
【特許文献１】実開平４−６０１６４号公報
【考案の開示】
【考案が解決しようとする課題】
【０００５】
しかしながら、モップ用掃除機はモップ収納体内に電気掃除機の吸込口を連通させ、電気掃除機を運転することによりモップ収納体内に落ちたモップの塵埃を吸引していた。この方法でモップの掃除を行うと、モップに吸着した塵埃はベランダや縁側などに飛散しないものの、電気掃除を使用しないと塵埃を吸着したモップを綺麗にできないという問題があった。
【０００６】
また、モップの拭き取り部を構成する多数の紡糸を、すのこ状の塵埃払い落とし体に反復衝突させて紡糸に吸着した塵埃を落とす際、すのこ状の塵埃払い落とし体で紡糸が折り畳まれてしまう。このため、モップに吸着した塵埃を迅速に脱落させて除去させることができないと言う問題があった。
【０００７】
本考案は、係る従来技術の課題を解決するために成されたものであり、電気掃除機を使用せずにモップに吸着した塵埃を簡単に、且つ、綺麗に落としてモップを新品同様に再生することができるモップ用除塵装置を提供することを目的とする。
【課題を解決するための手段】
【０００８】
即ち、本考案のモップ用除塵装置は、モップを挿入可能な塵埃除去箱と、この塵埃除去箱内に移動可能に設けられ、モップに付着した塵埃を落とす塵落とし手段と、塵埃除去箱に並設された集塵箱内に位置し、塵埃除去箱内に連通して設けられ、塵埃を捕獲可能な集塵部材と、モップを塵落とし手段に押し付ける動作及びこの塵落とし手段から引き離す動作に基づく当該塵落とし手段の移動により、塵埃除去箱内から集塵箱内の集塵部材を経て外部に空気を排出するポンプ手段とを備えたことを特徴とする。
【０００９】
また、請求項２の考案のモップ用除塵装置は、上記において、塵埃除去箱の一面に形成された開口を開閉する開閉蓋と、周囲の弾性部材と一面側に伸縮部材を有して塵埃除去箱内を第１の区画室と第２の区画室とに仕切ると共に、塵落とし手段が他面側に立設される区画壁と、第１の区画室内と集塵箱内とを連通すると共に、集塵部材が設けられる第１の連通孔と、第２の区画室内と集塵箱内とを連通する第２の連通孔と、第２の区画室内の圧力低下によって第２の連通孔を開放する第１の開閉弁と、第２の区画室内と外部とを連通する第３の連通孔と、第２の区画室内の圧力上昇によって第３の連通孔を開放する第２の開閉弁とを備え、ポンプ手段は、区画壁、第１及び第２の開閉弁から構成されることを特徴とする。
【００１０】
また、請求項３の考案のモップ用除塵装置は、請求項１又は請求項２において、開閉蓋は塵埃除去箱の上面開口を開閉すると共に、区画壁は塵埃除去箱内を上下に仕切り、伸縮部材は区画壁の下面に設けられていることを特徴とする。
【００１１】
また、請求項４の考案のモップ用除塵装置は、請求項１乃至請求項３において、集塵部材は、電気掃除機の除塵紙パックであることを特徴とする。
【００１２】
また、請求項５の考案のモップ用除塵装置は、請求項１乃至請求項４の何れかに加えて、第１の区画室内面にモップに吸着した塵埃を落とすことが可能な第２の塵落とし手段を設けたことを特徴とする。
【００１３】
また、請求項６の考案のモップ用除塵装置は、塵埃除去箱と、該塵埃除去箱内に設けられた塵落とし部材とを備え、該塵落とし部材は、塵埃除去箱の底面から離間しており、塵埃が通過可能な脚部材と、該脚部材上に立設された複数の塵落とし棒部材とを有していることを特徴とする。
【００１４】
また、請求項７の考案のモップ用除塵装置は、請求項７に加えて、塵埃除去箱側面の底面近傍に、電気掃除機の吸引ホースを着脱可能な連結管を設けたことを特徴とする。
【考案の効果】
【００１５】
本考案では、モップを挿入可能な塵埃除去箱と、この塵埃除去箱内に移動可能に設けられ、モップに付着した塵埃を落とす塵落とし手段と、塵埃除去箱に並設された集塵箱内に位置し、塵埃除去箱内に連通して設けられ、塵埃を捕獲可能な集塵部材と、モップを塵落とし手段に押し付ける動作及びこの塵落とし手段から引き離す動作に基づく当該塵落とし手段の移動により、塵埃除去箱内から集塵箱内の集塵部材を経て外部に空気を排出するポンプ手段とを備えたので、例えば、請求項２の如く、塵埃除去箱の一面に形成された開口を開閉する開閉蓋と、周囲の弾性部材と一面側に伸縮部材を有して塵埃除去箱内を第１の区画室と第２の区画室とに仕切ると共に、塵落とし手段が他面側に立設される区画壁と、第１の区画室内と集塵箱内とを連通すると共に、集塵部材が設けられる第１の連通孔と、第２の区画室内と集塵箱内とを連通する第２の連通孔と、第２の区画室内の圧力低下によって第２の連通孔を開放する第１の開閉弁と、第２の区画室内と外部とを連通する第３の連通孔と、第２の区画室内の圧力上昇によって第３の連通孔を開放する第２の開閉弁とを備え、ポンプ手段は、区画壁、第１及び第２の開閉弁から構成しているので、第１の区画室内で塵落とし手段にて脱落したモップの塵埃を集塵部材で集塵し、且つ、綺麗な空気を外部に排出させることが可能となる。
【００１６】
また、塵落とし手段にモップを反復衝突させることにより、区画壁を一面側或いは他面側に揺動させて第２の区画室内の圧力を低下、上昇させるポンプ手段を設けているので、従来のように電気掃除機を使用して第１の区画室の空気を吸引しなくても、ポンプ手段によって第１の区画室のモップの塵を集塵部材内に集塵することができる。これにより、例えば、一般家庭用商用電源がないところでもモップ用除塵装置を使用することが可能となり、空気中に塵埃が飛散することもない。従って、モップ用除塵装置の汎用性を大幅に向上させることが可能に成り、モップ用除塵装置のコストを大幅に低減させることができるようになるものである。
【００１７】
また、例えばモップの拭き取り部を構成する多数の紡糸を、第１の区画室内に立設した塵落とし棒部材に反復衝突させることにより、多数の紡糸の付け根の部分まで綺麗に塵埃を落とすことが可能となる。また、塵落とし棒部材を立設させているので、モップの拭き取り部を構成する多数の紡糸が、従来のすのこ状の塵埃払い落とし体のように引っ掛かって折り畳まれることがない。これにより、モップに付着した塵埃を迅速に脱落させることができるようになると共に、モップに付着した塵埃を従来のモップ用掃除機の約３／４〜１／２短時間で落とすことが可能となる。従って、モップを綺麗な状態で長期間使用することが可能となり、モップ用除塵装置の利便性を大幅に向上させることができるようになる。
【００１８】
特に、集塵部材を第１の区画室の下部に設けることにより、第１の区画室内でモップから離脱した塵埃を自重で集塵部材内に落下させることができる。これにより、モップから落下させた塵埃が塵落とし手段に引っ掛かってしまうなどと言う不都合を解消でき、いつでも第１の区画室内を塵埃のない綺麗な状態にしておくことができる。従って、第１の区画室内を常時清潔にしておくことができる。
【００１９】
また、請求項３の考案では、開閉蓋は塵埃除去箱の上面開口を開閉すると共に、区画壁は塵埃除去箱内を上下に仕切り、伸縮部材は区画壁の下面に設けられているので、モップを上下動させることにより、塵落とし手段にモップを反復衝突させることで、塵埃除去箱を固定しなくても倒れることがない。これにより、簡単にモップの塵埃除去を行うことが可能となる。従って、モップ用除塵装置の使い勝手を大幅に向上させることができるようになるものである。
【００２０】
また、請求項４の考案では、集塵部材は、電気掃除機の除塵紙パックであるので、手軽に入手することが可能になると共に、容易に交換することができる。これにより、モップ用除塵装置を安価に造ることもでき、ランニングコストも低減させることが可能になる。従って、モップ用除塵装置の利便性を更に向上させることができるようになる。
【００２１】
また、請求項５の考案では、第１の区画室内面にモップに吸着した塵埃を落とすことが可能な第２の塵落とし手段を設けたので、例えば、塵埃が大量に付着するモップの周囲部分を第２の塵落とし手段に当接させることができるので、モップに付着した塵埃を簡単に落とすことができる。これにより、塵埃が大量に吸着するモップ周囲を綺麗にすることが可能となる。
【００２２】
特に、モップ用除塵装置には、塵落とし手段と第２塵落とし手段とを設けているので、常にモップ全体を綺麗にすることが可能となる。従って、いつでも全体が綺麗な状態でモップを使用することができ、モップの塵埃吸着効果を長期間維持することができるようになるものである。
【００２３】
また、請求項６の考案では、塵埃除去箱と、該塵埃除去箱内に設けられた塵落とし部材とを備え、該塵落とし部材は、塵埃除去箱の底面から離間しており、塵埃が通過可能な脚部材と、該脚部材上に立設された複数の塵落とし棒部材とを有しているので、モップの拭き取り部を構成する多数の紡糸が、例えば従来のようにすのこ状の塵埃払い落とし体に引っ掛かって折り畳まれることもなく、モップに付着した塵埃を離脱させることができる。これにより、モップ全体に付着した塵埃を、例えば従来のモップ用掃除機の約３／４〜１／２の短時間で落とすことが可能となり、モップを綺麗な状態で長期間使用することができるようになる。
【００２４】
特に、モップ用除塵装置にはモップから落とした塵埃を吸引するための吸引装置を設けていないので、モップ用除塵装置を大幅に軽量化することができ、何処にでも持ち運んで使用することができるようになる。従って、モップ用除塵装置のコストを大幅に低減させることが可能となり、モップ用除塵装置の利便性を大幅に向上させることができるようになるものである。
【００２５】
また、請求項７の考案では、塵埃除去箱側面の底面近傍に、電気掃除機の吸引ホースを着脱可能な連結管を設けたので、この連結管に電気掃除機の吸引ホースを装着することができる。これにより、電気掃除機で塵埃除去箱内の空気を吸引することが可能となる。従って、塵落とし部材にてモップから落とした塵埃除去箱内の塵埃を、電気掃除機にて吸引することができるので、塵埃除去箱内をいつでも綺麗にしておくことができて便利である。
【考案を実施するための最良の形態】
【００２６】
本考案は、電気掃除機を使用せずモップに吸着した塵埃を綺麗に落として新品同様のモップに再生できるようにしたことを主要な特徴とする。塵埃を吸着したモップを綺麗に落とすという目的をモップを上下動させることにより動作するポンプ手段を設けることにより実現した。
【実施例１】
【００２７】
以下、本発明の実施の形態を図面に基づいて説明する。図１は本考案の一実施例のモップ用除塵装置１０の内部構成を示す正面図、図２は本考案の一実施例のモップ用除塵装置１０の内部構成を示す側面図、図３は本考案の一実施例のモップ用除塵装置１０（開閉蓋１６無しの状態）の平面図、図４は本考案の一実施例のモップ用除塵装置１０（モップ６０の除塵を行っている状態）の内部構成を示す正面図をそれぞれ示している。
【００２８】
本実施形態におけるモップ用除塵装置１０は、水に濡らさずに塵埃を吸着して掃除するもので、所謂ダストモップ称されるモップ６０の除塵装置である。該モップ用除塵装置１０は、図１に示すようにモップ６０の拭き取り部を構成する紡糸６０Ａ（図４に図示）を挿入可能な縦長箱状の塵埃除去箱１２と、この塵埃除去箱１２の側面に設けられた集塵箱４８とを備えている。該塵埃除去箱１２は、所定の厚さの木板、合成樹脂板、或いは、金属板にて形成されると共に、塵埃除去箱１２の上面には開口１４が形成され、この開口１４には観音開き式の開閉蓋１６が開閉自在（図１円弧矢印）に設けられている。
【００２９】
開閉蓋１６は、蝶番２０を介して塵埃除去箱１２に固定されており、開閉蓋１６はこの蝶番２０によって塵埃除去箱１２の開口１４を開閉自在に閉塞している。そして、開閉蓋１６が閉じられた状態で、当該開閉蓋１６の略中央（開口１４の略中央）には挿通孔１８が設けられている。該挿通孔１８は、モップ６０の柄６２の直径より所定寸法大径に形成されている。この挿通孔１８は、塵埃除去箱１２内にモップ６０（紡糸６０Ａ）が挿入され、開閉蓋１６にて開口１４が閉塞された状態で、当該モップ６０の柄６２を塵埃除去箱１２の外部に延在させることができるようになっている。
【００３０】
塵埃除去箱１２内には、図２に示すように縦長略矩形状に形成された板状の区画壁４０が設けられている。該塵埃除去箱１２内は、この区画壁４０にて上下に仕切られており、区画壁４０の上側には第１の区画室２２、区画壁４０の下側には第２の区画室２６が形成されている。区画壁４０の周囲にはジャバラ状に形成された弾性部材４２の一側が固定されており、この弾性部材４２の他側は塵埃除去箱１２に固定されている。この区画壁４０と弾性部材４２によって、第２の区画室２６が密閉されている。言い換えると、区画壁４０と弾性部材４２によって、第１の区画室２２と第２の区画室２６との空気の流通が阻止されている。
【００３１】
また、区画壁４０の一面側（実施例では第２の区画室２６側）の４隅近傍には、コイルバネにて構成されたスプリング４４（本発明の伸縮部材に相当）が設けられている。該区画壁４０は、このスプリング４４によって塵埃除去箱１２内を上下に反復移動自在に構成されている。尚、スプリング４４は所定の弾力性があれば区画壁４０周囲の４隅近傍に限らず、区画壁４０の下面側に５箇所、６箇所、或いはそれ以上設けても差し支えない。
【００３２】
また、区画壁４０の他面側（実施例では第１の区画室２２側）には、直径約６．０ｍｍで所定の長さに形成された棒状の塵落とし部材として塵落とし棒部材４６（本発明の塵落とし手段に相当）が立設されている。即ち、塵落とし棒部材４６は、モップ６０の拭き取り部を構成する多数の紡糸６０Ａの長さを約９０．０ｍｍとした場合、それより約１０〜２０％長い寸法に構成されている。これにより、多数の紡糸６０Ａの先端を第２の区画室２６の底面より所定寸法上方に離間させて、第２の区画室２６の底面に落下させた塵埃が紡糸６０Ａの先端に付着しないように構成している。該塵落とし棒部材４６は、略等間隔で格子状に立設（図３に図示）されており、先端は半球状に形成されている。
【００３３】
係る塵落とし棒部材４６の先端にモップ６０を反復衝突させることにより、モップ６０（紡糸６０Ａ）に吸着した塵埃を落下させて、除去できるように構成されている。該塵落とし棒部材４６を所定の長さの棒状に形成することにより、モップ６０の拭き取り部を構成する多数の紡糸６０Ａの付け根の部分まで綺麗に塵埃を落とせるように構成すると共に、塵落とし棒部材４６の先端を半球状に形成することにより、モップ６０の拭き取り部を構成する多数の紡糸６０Ａが損傷してしまうのを防止している。
【００３４】
また、第１の区画室２２内には塵落とし部材として塵落とし枠部材２３（本発明の第２の塵落とし手段に相当）が設けられている。この塵落とし枠部材２３は、直径及び材質共に塵落とし棒部材４６同等に構成されると共に、第１の区画室２２内と所定の間隔を存して内側周囲に２段並行に設けられている。尚、塵落とし枠部材２３の数は、第１の区画室２２の内側周囲の２段に限らず、１段或いは複数段設けても差し支えない。
【００３５】
そして、塵落とし枠部材２３は、塵埃除去箱１２の開口１４から区画壁４０上にモップ６０（紡糸６０Ａ）を反復衝突させた際、モップ６０周囲よりはみ出した紡糸６０Ａが容易に通過すると共に、モップ６０周囲にはみ出した紡糸６０Ａが触れる大きさに形成されている。これにより、モップ６０周囲にはみ出した多数の紡糸６０Ａが確保した塵埃を塵落とし枠部材２３にて容易に落とせるように構成されている。尚、塵落とし枠部材２３は、保持部材２３Ａにて第１の区画室２２の側壁に支持固定されている。
【００３６】
塵埃除去箱１２には、集塵箱４８と隣接する壁面（集塵箱４８が隣接する第１の区画室２２の壁面）を貫通して第１の連通孔２４が設けられている。該第１の区画室２２内と集塵箱４８内は、第１の区画室２２の壁面に設けられた第１の連通孔２４によって連通している。また、第１の連通孔２４の集塵箱４８側には装着部２５が設けられている。
【００３７】
そして、装着部２５には集塵部材５０が装着されており、この集塵部材５０は、所謂電気掃除機の除塵紙パックにて構成されている。即ち、第１の区画室２２内と集塵部材５０内は第１の連通孔２４にて連通され、連通孔２４に集塵部材５０が装着されている。尚、図示しないが集塵箱４８の上面には、パッキンを具備した開閉蓋が設けられており、この開閉蓋を開閉することにより装着部２５に集塵部材５０を着脱できるように構成されている。
【００３８】
また、前記第２の区画室２６には、集塵箱４８と隣接する壁面を貫通して第２の連通孔２８が設けられると共に、第２の連通孔２８と対向する面に貫通して第３の連通孔３２が設けられている。即ち、集塵箱４８内は、第１の連通孔２４、第１の区画室２２内、挿通孔１８を介して外部に連通している。また、集塵箱４８内は、第２の連通孔２８、第２の区画室２６内、第３の連通孔３２を介して外部に連通している（図１点線矢印）。尚、第３の連通孔３２は、第２の連通孔２８と対向する面に限らず、他の２面に設けても差し支えない。
【００３９】
第２の連通孔２８には、第１の開閉弁３０が設けられると共に、第３の連通孔３２には第２の開閉弁３４が設けられている。両第１の開閉弁３０と第２の開閉弁３４は、図示しない付勢部材により常時軽い圧力で閉じる方向に付勢されて、第２の連通孔２８と第３の連通孔３２は閉じられている。
【００４０】
そして、第２の区画室２６内の圧力が低下した場合、第２の開閉弁３４は閉じた状態で第１の開閉弁３０が開放するように構成されている。また、第２の区画室２６内の圧力が上昇した場合、第１の開閉弁３０は閉じた状態で、第２の開閉弁３４は解放するように構成されている。第２の区画室２６内には、後述するポンプ手段が設けられており、このポンプ手段によって、第２の区画室２６内の空気は、第３の連通孔３２より外部に排出される。
【００４１】
一方、前記区画壁４０は、第１の区画室２２内に挿入されたモップ６０（紡糸６０Ａ）が、第１の区画室２２から第２の区画室２６方向に押されると（図４実線矢印方向）、スプリング４４が弾性圧縮される。これによって、第２の区画室２６内の圧力が上昇すると第１の開閉弁３０は閉じた状態で、第２の開閉弁３４が解放されて、第２の区画室２６内の空気は第３の連通孔３２から塵埃除去箱１２の外部に排出される。
【００４２】
また、第２の区画室２６方向に押されたモップ６０が戻されると（図４実線矢印と反対方向）、圧縮されたスプリング４４は弾性復帰して、区画壁４０を押し上げる。これによって、第２の区画室２６内の圧力が低下して、第２の開閉弁３４は閉じ、第１の開閉弁３０は解放されて、第２の区画室２６内に集塵箱４８内の空気が吸い込まれる。
【００４３】
詳しくは、区画壁４０がモップ６０で押されると（モップ６０の下降動作）、第２の区画室２６内の空気は第３の連通孔３２から外部に排出され、モップ６０が戻されると（モップ６０の上昇動作）、第２の区画室２６内には集塵箱４８内の空気が流入する。このモップ６０の上下反復動作が繰り返されることにより、第１の区画室２２内の空気は常時第２の区画室２６内に流れ込むように構成されている。
【００４４】
以上の構成で次に図４を参照してモップ用除塵装置１０の使用を説明する。尚、集塵箱４８の装着部２５には集塵部材５０が装着されているものとする。また、モップ６０（紡糸６０Ａ）には塵埃が吸着されているものとする。まず、開閉蓋１６が開かれ、モップ６０（紡糸６０Ａ）が第１の区画室２２内に挿入され、開閉蓋１６が閉じられる。この状態で、モップ６０の柄６２は挿通孔１８の上方に所定寸法延在する。
【００４５】
そして、柄６２が上下動されてモップ６０（紡糸６０Ａ）を区画壁４０上（実際は複数の塵落とし棒部材４６上）に反復衝突させることにより、モップ６０（紡糸６０Ａ）に吸着された塵埃を紡糸６０Ａより離脱させ区画壁４０上に落下させることができる。該モップ６０周囲にはみ出した多数の紡糸６０Ａに吸着された塵埃も周囲に設けられた塵落とし枠部材２３によって離脱させ、区画壁４０上に落下させることができる。また、塵落とし棒部材４６を立設させているので、モップ６０の拭き取り部を構成する多数の紡糸６０Ａの付け根の部分に付着した塵埃も綺麗に落とすことができる。
【００４６】
係るモップ６０を区画壁４０上に反復衝突させているので、区画壁４０が上下動を行ってポンプ手段が働く。これによって、外部の空気は挿通孔１８、第１の区画室２２内、集塵部材５０内、集塵箱４８内、第２の区画室２６を通り外部に排出される（図１点線矢印）。このとき、第１の区画室２２内でモップ６０（紡糸６０Ａ）から落ちた塵埃は、挿通孔１８から第２の区画室２６を通り外部に排出される空気と共に、第１の連通孔２４を通り集塵箱４８内に流入する。
【００４７】
集塵箱４８内には、集塵部材５０が設けられているので、挿通孔１８から流入した空気と共に集塵箱４８内に流入した塵埃は、集塵部材５０に捕獲されて、塵埃のない空気だけが、第２の連通孔２８、第２の区画室２６、第３の連通孔３２を通り経て外部に排出される。これにより、モップ６０（紡糸６０Ａ）から落とした塵埃を、集塵部材５０にて捕獲することができる共に、モップ６０（紡糸６０Ａ）から落とした塵埃がモップ用除塵装置１０の近傍に飛散して周囲が汚れてしまうのを防止することができる。
【００４８】
このように、モップ６０（紡糸６０Ａ）を挿入可能な塵埃除去箱１２と、この塵埃除去箱１２内に移動可能に設けられ、モップ６０（紡糸６０Ａ）に付着した塵埃を落とす塵落とし棒部材４６と、塵埃除去箱１２に並設された集塵箱４８内に位置し、塵埃除去箱１２内に連通して設けられ、塵埃を捕獲可能な集塵部材５０と、モップ６０（紡糸６０Ａ）を塵落とし棒部材４６に押し付ける動作、及び、この塵落とし棒部材４６から引き離す動作に基づく当該塵落とし棒部材４６の移動により、塵埃除去箱１２内から集塵箱４８内の集塵部材５０を経て外部に空気を排出するポンプ手段とを備えている。
【００４９】
また、塵埃除去箱１２の一面に形成された開口１４を開閉する開閉蓋１６と、周囲の弾性部材と、一面側に伸縮部材を有して塵埃除去箱１２内を第１の区画室２２と第２の区画室２６とに仕切ると共に、塵落とし棒部材４６が他面側に立設される区画壁４０と、第１の区画室２２内と、集塵箱４８内とを連通すると共に集塵部材５０が設けられる第１の連通孔２４と、第２の区画室２６内と集塵箱４８内とを連通する第２の連通孔２８と、第２の区画室２６内の圧力低下によって第２の連通孔２８を開放する第１の開閉弁３０と、第２の区画室２６内と塵埃除去箱１２の外部に連通する第３の連通孔３２と、第２の区画室２６内の圧力上昇によって第３の連通孔３２を開放する第２の開閉弁３４とを備えており、ポンプ手段は、区画壁４０、第１及び第２の開閉弁３０、３４から構成しているので、第１の区画室２２内で塵落とし棒部材４６にて落としたモップ６０（紡糸６０Ａ）の塵埃を集塵部材５０で集塵した後、綺麗な空気を外部に排出させることが可能となる。
【００５０】
また、塵落とし棒部材４６にモップ６０を反復衝突させることにより、区画壁４０を一面側或いは他面側に揺動させて第２の区画室２６内の圧力を低下、上昇させるポンプ手段を設けているので、従来のように電気掃除機を使用して第１の区画室２２の空気を吸引しなくても、ポンプ手段によって第１の区画室２２のモップ６０（紡糸６０Ａ）に付着した塵埃を集塵部材５０にて集塵することができる。これにより、一般家庭用商用電源がないところでも使用することが可能となり、モップ用除塵装置１０のコストを大幅に低減させることができる。
【００５１】
また、モップ６０の拭き取り部を構成する多数の紡糸６０Ａを、第１の区画室２２内に立設された塵落とし棒部材４６に反復衝突させることにより、多数の紡糸６０Ａの付け根の部分まで綺麗に塵埃を落とすことが可能となる。また、塵落とし棒部材４６を立設させているので、モップ６０の拭き取り部を構成する多数の紡糸６０Ａが、塵落とし棒部材４６によって折り畳まれることがなく、紡糸６０Ａに付着した塵埃を迅速に脱落させることができる。これにより、モップ６０（紡糸６０Ａ）に付着した塵埃を、短時間（この場合、従来のモップ用除塵装置の約３／４〜１／２の時間）で落とすことが可能となり、モップ６０（紡糸６０Ａ）を綺麗な状態で長期間使用することが可能となる。
【００５２】
また、集塵部材５０は、電気掃除機の除塵紙パックを利用しているので、電化製品販売店などで手軽に入手することが可能になると共に、容易に交換することができる。これにより、モップ用除塵装置１０を安価に使用することができ、ランニングコストも低減させることが可能となる。
【００５３】
また、第１の区画室２２内の周囲側面にはモップ６０（紡糸６０Ａ）に吸着した塵埃を落とすことが可能な塵落とし枠部材２３を設けているので、塵埃が大量に付着するモップ６０の周囲部分の塵埃も簡単に落とすことができる。これにより、塵埃が大量に吸着するモップ６０（紡糸６０Ａ）周囲を綺麗に清掃することが可能となる。
【００５４】
特に、モップ用除塵装置１０には塵落とし棒部材４６と塵落とし枠部材２３とを設けているので、常にモップ６０（紡糸６０Ａ）全体を綺麗にすることが可能となる。これにより、いつでも全体が綺麗な状態でモップ６０（紡糸６０Ａ）を使用することができ、長期間紡糸６０Ａの塵埃吸着効果を維持することができる。
【実施例２】
【００５５】
次に、図５には本考案の他の実施例のモップ用除塵装置１０を示している。該モップ用除塵装置１０は、前述の実施例と略同じ構成を有している。以下、異なる部分について説明する。尚、モップ用除塵装置１０は前述の実施例１の塵埃除去箱１２から区画壁４０と集塵箱４８（集塵部材５０を含む）とポンプ手段とを削除したものである。また、前述の実施例と同じ部分にはこれと同じ符号を付し、説明を省略する。
【００５６】
モップ用除塵装置１０は、図５に示すようにモップ６０（紡糸６０Ａ）を挿入可能な塵埃除去箱１２の上面開口１４に開閉自在に開閉蓋１６が設けられている。塵埃除去箱１２内には、所定の間隔を存して、その間から下方に塵埃が通過可能な脚部材５４と、この脚部材５４上に立設された複数の塵落とし棒部材４６とを備えた塵落とし部材５３が設けられている。
【００５７】
脚部材５４は、図６に示すように塵埃除去箱１２内に固定された橋架部材５５と、この橋架部材５５に固定された縦部材５６と、この縦部材５６に固定された複数の横部材５７とから構成されている。橋架部材５５と縦部材５６と横部材５７は、塵落とし棒部材４６と略同等の部材にて構成されている。橋架部材５５は、コ字状に形成され（図５に図示）、両端部は塵埃除去箱１２の底面に固定されている。
【００５８】
橋架部材５５は、塵埃除去箱１２の長手方向両端近傍に平行に設けられると共に、両端部は塵埃除去箱１２の底面に固定されている。そして、橋架部材５５は、両端部が塵埃除去箱１２の長手方向両端近傍に固定された状態で立設され、上部（両端部の反対側）は塵埃除去箱１２の底面より所定寸法離間している。
【００５９】
縦部材５６は、図７に示すように両橋架部材５５間に渡って設けられると共に、両橋架部材５５の両端近傍に設けられている。縦部材５６は、両橋架部材５５の両端近傍に設けられた状態で平行に配置され、両端は両橋架部材５５に溶接固定されている。また、横部材５７は、両縦部材５６間に渡って設けられると共に、両橋架部材５５間に所定の間隔を存して設けられている。
【００６０】
各横部材５７は、橋架部材５５と平行に配置され、両端は両縦部材５６に溶接固定されている。そして、この脚部材５４（橋架部材５５、縦部材５６、横部材５７を含む）の上に塵落とし部材５３が立設されて溶接固定されている。該塵落とし部材５３は、脚部材５４上に略等間隔で格子状に立設されている。
【００６１】
そして、モップ用除塵装置１０を使用する際は、前述同様開閉蓋１６が開かれて塵埃が吸着されたモップ６０（紡糸６０Ａ）が塵埃除去箱１２内に挿入され開閉蓋１６が閉じられる。そして、柄６２が上下動され、モップ６０（紡糸６０Ａ）を塵落とし部材５３上（実際は複数の塵落とし棒部材４６上）に反復衝突させる。これにより、モップ６０（紡糸６０Ａ）に吸着された塵埃を紡糸６０Ａより離脱させ、塵埃除去箱１２内の底部に落下させることができる。該モップ６０周囲にはみ出した多数の紡糸６０Ａに吸着された塵埃も塵埃除去箱１２内周囲に設けた塵落とし枠部材２３によって離脱させ、塵埃除去箱１２内の底部に落下させることができる。また、塵落とし部材４６を立設させているので、モップ６０の拭き取り部を構成する多数の紡糸６０Ａの付け根の部分に付着した塵埃も綺麗に落とすことができる。
【００６２】
このように、塵埃除去箱１２と、該塵埃除去箱１２内に設けられた塵落とし部材５３とを備え、塵埃が通過可能な脚部材５４によって塵埃除去箱１２の底面から所定距離離間した塵落とし部材５３と、脚部材５４上に立設された複数の塵落とし棒部材４６とを有しているので、モップの拭き取り部を構成する多数の紡糸が、従来のようにすのこ状の塵埃払い落とし体に引っ掛かって折り畳まれることもなく、モップ６０（紡糸６０Ａ）に付着した塵埃を落下させることができる。これにより、モップ６０（紡糸６０Ａ）全体に付着した塵埃を短時間（この場合、従来のモップ用除塵装置の約３／４〜１／２の時間）で落とすことが可能となる。
【００６３】
また、モップ用除塵装置１０にはモップ６０（紡糸６０Ａ）から落とした塵埃を吸引するための吸引装置を設けていないので、モップ用除塵装置１０を大幅に軽量化することができる。これにより、モップ用除塵装置１０を何処にでも持ち運んで使用することが可能となり、モップ用除塵装置１０のコストを大幅に低減させることができる。
【００６４】
一方、前記塵埃除去箱１２の側壁には、図示しない電気掃除機の吸引ホースを着脱可能な連結管５８が設けられている。この連結管５８は、塵埃除去箱１２の底面近傍に設けられ、塵埃除去箱１２の内部と外部とを連通している。即ち、連結管５８に電気掃除機の吸引ホースを装着することにより、電気掃除機で塵埃除去箱１２内の塵埃を吸引することができる。
【００６５】
このように、塵埃除去箱１２側面の底面近傍に、電気掃除機の吸引ホースを着脱可能な連結管５８を設けているので、連結管５８に電気掃除機の吸引ホースを装着し、塵埃除去箱１２内の空気を吸引することが可能となる。これにより、塵落とし部材５３にてモップ６０（紡糸６０Ａ）から塵埃除去箱１２内に落ちた塵埃を、電気掃除機にて吸引することができる。従って、塵埃除去箱１２内にモップ６０（紡糸６０Ａ）から落とした塵埃が蓄積されてしまうのを防止することが可能となり、塵埃除去箱１２内をいつでも綺麗にしておくことができる。
【００６６】
また、実施例１では、塵埃除去箱１２内を区画壁４０にて上下に仕切って、モップ６０を上下動させたが、塵埃除去箱１２内を区画壁４０に前後に仕切り、モップ６０を前後動させるようにしても差し支えない。これにより、第１の区画室２２内でモップ６０（紡糸６０Ａ）から落下させた塵埃を自重で集塵部材５０内に落下させることが可能となる。従って、モップ６０（紡糸６０Ａ）から落下させた塵埃が塵埃除去箱１２の底部に溜まってしまうなどと言う不都合を解消することができ、いつでも第１の区画室２２内を塵埃のない綺麗な状態にしておくことができ、塵埃除去箱１２内全体を清潔に管理することができるようになるものである。
【００６７】
尚、実施例ではモップ用除塵装置１０の形状や寸法などを記載したが、モップ用除塵装置１０は本発明の 要旨を逸脱しない範囲内で形状や寸法を変更しても有効である。勿論本発明は、上記各実施例のみに限定されるものではなく、この発明の趣旨を逸脱しない範囲で他の様々な変更を行っても本発明は有効である。
【図面の簡単な説明】
【００６８】
【図１】本考案の一実施例のモップ用除塵装置の内部構成を示す正面図である（実施例１）。
【図２】本考案の一実施例のモップ用除塵装置の内部構成を示す側面図である。
【図３】本考案の一実施例のモップ用除塵装置（開閉蓋無しの状態）の平面図である。
【図４】本考案の一実施例のモップ用除塵装置（モップの除塵を行っている状態）の内部構成を示す正面図である。（実施例２）。
【図５】本考案の他の一実施例のモップ用除塵装置の内部構成を示す正面図である（実施例２）。
【図６】本考案の他の一実施例のモップ用除塵装置の内部構成を示す側面図である。
【図７】本考案の他の一実施例のモップ用除塵装置（開閉蓋無しの状態）の平面図である。
【符号の説明】
【００６９】
１０  モップ用除塵装置
１２  塵埃除去箱
１４  開口
１６  開閉蓋
１８  挿通孔
２０  蝶番
２２  第１の区画室
２３  塵落とし枠部材
２３Ａ  保持部材
２４  第１の連通孔
２５  装着部
２６  第２の区画室
２８  第２の連通孔
３０  第１の開閉弁
３２  第３の連通孔
３４  第２の開閉弁
４０  区画壁
４２  弾性部材
４４  スプリング
４６  塵落とし棒部材
４８  集塵箱
５０  集塵部材
５３  塵落とし部材
５４  脚部材
５５  橋架部材
５６  縦部材
５７  横部材
５８  連結管
６０  モップ
６０Ａ  紡糸
６２  柄
【図１】
0003125292.tif 000003
【図２】
0003125292.tif 000004
【図３】
0003125292.tif 000005
【図４】
0003125292.tif 000006
【図５】
0003125292.tif 000007
【図６】
0003125292.tif 000008
【図７】
0003125292.tif 000009